(57)【要約】【課題】  液晶装置等の電気光学装置において、画像表示領域の面積をそのまま確保しながら小型化する。【解決手段】  電気光学装置は、一対の第１及び第２基板間に電気光学物質が挟持されてなり、第１基板は、その第１辺において平面的に見て第２基板より張り出した張出部を有する。第１基板に、複数の画素部、走査線駆動回路、データ線駆動回路及び複数の外部回路接続端子を備える。走査線駆動回路と複数の外部回路接続端子の一部から走査線駆動回路へ引き回される走査線駆動回路用引回配線とは、張出部上を除く前記周辺領域では、第１基板上で平面的に見て第２基板が存在する領域内に配置されている。【選択図】    図３
2006171385.tif 000002
【特許請求の範囲】
【請求項１】
一対の第１及び第２基板が対向してなり、前記第１基板は、その第１辺において平面的に見て前記第２基板より張り出した張出部を有する電気光学装置であって、
前記第１基板に、画像表示領域に配列されており画素電極を夫々有する複数の画素部と、前記画像表示領域の周辺に位置する周辺領域において前記第１基板の前記第１辺に隣接する少なくとも一つの第２辺に沿って配置されており走査線を介して前記画素部を駆動するための走査線駆動回路と、前記周辺領域において前記第１辺に沿って配置されておりデータ線を介して前記画素部を駆動するためのデータ線駆動回路と、前記周辺領域のうち前記張出部上にある領域において前記第１辺に沿って配列された複数の外部回路接続端子とを備え、
前記走査線駆動回路と前記複数の外部回路接続端子の一部から前記走査線駆動回路へ引き回される走査線駆動回路用引回配線とは、前記張出部上を除く前記周辺領域では、前記第１基板上で平面的に見て前記第２基板と重なる領域内に配置されている
ことを特徴とする電気光学装置。
【請求項２】
前記第１及び第２基板間に、前記周辺領域の一部において前記電気光学物質を封止するシール材を更に備え、
前記走査線駆動回路は、前記周辺領域のうち前記シール材が配置されたシール領域よりも前記画像表示領域に近い側の領域に配置されていることを特徴とする請求項１に記載の電気光学装置。
【請求項３】
前記第１基板に、前記複数の外部回路接続端子のうち前記データ線駆動回路及び前記走査線駆動回路に接続された端子よりも前記第１辺の端寄りに設けられた対向電極用端子から引き回された対向電極用引回配線と、該対向電極用引回配線に接続されており前記周辺領域に配置された上下導通端子とを更に備え、
前記第２基板に、前記画素電極に対向する対向電極を備え、
前記第１及び第２基板間に、前記上下導通端子と前記対向電極とを電気的に相互接続する上下導通材を備え、
前記対向電極用引回配線は、前記第１基板上で平面的に見て前記上下導通端子よりも前記画像表示領域に近い側を通過する第１配線部分を含むことを特徴とする請求項１又は２に記載の電気光学装置。
【請求項４】
一対の第１及び第２基板が対向してなり、前記第１基板は、その第１辺において平面的に見て前記第２基板より張り出した張出部を有する電気光学装置であって、
前記第１基板に、画像表示領域に配列されており画素電極を夫々有する複数の画素部と、前記画像表示領域の周辺に位置する周辺領域において前記第１基板の前記第１辺に隣接する少なくとも一つの第２辺に沿って配置されており走査線を介して前記画素部を駆動するための走査線駆動回路と、前記周辺領域において前記第１辺に沿って配置されておりデータ線を介して前記画素部を駆動するためのデータ線駆動回路と、前記周辺領域のうち前記張出部上にある領域において前記第１辺に沿って配列された複数の外部回路接続端子とを備え、
前記第２基板に、前記画素電極に対向する対向電極を備え、
前記第１基板に、前記複数の外部回路接続端子のうち前記データ線駆動回路及び前記走査線駆動回路に接続された端子よりも前記第１辺の端寄りに設けられた対向電極用端子から引き回された対向電極用引回配線と、該対向電極用引回配線に接続されており前記周辺領域に配置された上下導通端子とを更に備え、
前記第１及び第２基板間に、前記上下導通端子と前記対向電極とを電気的に相互接続する上下導通材を備え、
前記対向電極用引回配線は、前記第１基板上で平面的に見て前記上下導通端子よりも前記画像表示領域に近い側を通過する第１配線部分を含むことを特徴とする電気光学装置。
【請求項５】
前記第１配線部分は、前記第１基板上で平面的に見て前記走査線駆動回路よりも前記画像表示領域から遠い側を通過することを特徴とする請求項３又は４に記載の電気光学装置。
【請求項６】
前記上下導通端子は、前記第２基板のコーナー部に配置されており、
前記第１配線部分及び前記外部回路接続端子から前記走査線駆動回路へ引き回される走査線駆動回路用引回配線は、前記第１基板上で平面的に見て、前記上下導通端子のうち前記第１辺の端に位置するコーナー部に配置されたものと前記データ線駆動回路との間を通過するように配置されていることを特徴とする請求項３から５のいずれか一項に記載の電気光学装置。
【請求項７】
前記対向電極用引回配線は、前記周辺領域のうち、前記第１基板上で平面的に見て前記上下導通端子よりも前記画像表示領域から遠い側の領域を通過する第２配線部分を更に含み、前記第１及び第２配線部分を含んでなる冗長配線構造を有することを特徴とする請求項３から６のいずれか一項に記載の電気光学装置。
【請求項８】
前記第１及び第２基板間に、前記周辺領域の一部において前記第１及び第２基板を貼り合せるシール材を更に備え、
前記走査線駆動回路は、前記周辺領域のうち前記シール材が配置されたシール領域よりも前記画像表示領域に近い側の領域に配置されており、
前記第１及び第２配線部分のうち少なくとも一方は、前記シール領域内に少なくとも部分的に配線されていることを特徴とする請求項７に記載の電気光学装置。
【請求項９】
前記第１及び第２基板間に、前記周辺領域の一部において前記第１及び第２基板を貼り合せるシール材を更に備え、
前記走査線駆動回路は、前記周辺領域のうち前記シール材が配置されたシール領域よりも前記画像表示領域に近い側の領域に配置されており、
前記対向電極用引回配線は、前記第１及び第２配線部分の間を接続する短冊状又は櫛歯状の第３配線部分を更に含み、該第３配線部分は、前記シール領域内に少なくとも部分的に配線されていることを特徴とする請求項７に記載の電気光学装置。
【請求項１０】
前記シール材には、前記第１及び第２基板間の基板間ギャップを制御するためのギャップ材が混入されており、
前記第３配線部分は、前記シール領域内に配線されたシール領域内配線に対し前記基板間ギャップを合わせるためのダミー配線として機能することを特徴とする請求項９に記載の電気光学装置。
【請求項１１】
前記データ線駆動回路は、前記周辺領域のうち、前記シール領域よりも前記画像表示領域から遠い側の領域に配置されており、
前記第１基板に、前記周辺領域のうち前記シール領域よりも前記画像表示領域に近い側の領域に、前記複数の外部回路接続端子のうち前記対向電極用端子よりも前記第１辺の中央寄りに設けられた画像信号用端子から、画像信号用引回配線を介して供給される画像信号を、前記データ線駆動回路からサンプリング回路駆動信号線を介して供給されるサンプリング回路駆動信号に応じてサンプリングして前記データ線に供給するサンプリング回路を更に備え、
前記シール領域内配線は、前記画像信号用引回配線及び前記サンプリング回路駆動信号線の前記シール領域を通過する配線部分を含むことを特徴とする請求項１０に記載の電気光学装置。
【請求項１２】
前記第１及び第２基板の少なくとも一方に、前記画像表示領域の額縁を規定する額縁遮光膜を更に備え、
前記走査線駆動回路及び前記サンプリング回路は、前記周辺領域のうち、前記額縁遮光膜が形成された額縁領域内に少なくとも部分的に配置されていることを特徴とする請求項１１に記載の電気光学装置。
【請求項１３】
前記対向電極用引回配線は、前記外部回路接続端子から引き回される他の引回配線よりも配線幅が広く、前記上下導通端子の下を通過すると共に前記上下導通端子の下を通過する個所において前記上下導通端子に接続されていることを特徴とする請求項３から６のいずれか一項に記載の電気光学装置。
【請求項１４】
前記第１基板は、平面的に見て、前記第１辺を除く辺については、前記第２基板に対して張り出していないことを特徴とする請求項１から１３のいずれか一項に記載の電気光学装置。
【請求項１５】
当該電気光学装置は、マザー基板上に複数形成された後に切断工程によって切断されてなり、
前記対向電極用端子は、前記第１辺の最端に配置されており、
前記対向電極用引回配線は、前記第２辺における前記第１基板の縁から前記切断工程における切断マージンだけ離間して、前記第２辺に沿って配線されている部分を含むことを特徴とする請求項３から１３のいずれか一項に記載の電気光学装置。
【請求項１６】
請求項１から１５のいずれか一項に記載の電気光学装置を具備してなることを特徴とする電子機器。
【発明の詳細な説明】
【技術分野】
【０００１】
本発明は、例えば液晶装置等の電気光学装置及びこれを備えた例えば液晶プロジェクタ等の電子機器の技術分野に関する。
【背景技術】
【０００２】
この種の電気光学装置では、例えばＴＦＴアレイ基板上に、マトリクス状に配列された複数の画素電極を備えており、これらの配列された平面領域が画像表示領域とされる。その動作時には、例えばデータ線、走査線等の配線を介して、画素スイッチング用ＴＦＴ等の電子素子に、画像信号、走査信号等が供給される。そして、画像信号等が電子素子から選択的に画素電極に供給されることでマトリクス駆動が行われる。即ち、複数の画素電極がマトリクス状に平面配列された画像表示領域における画像表示が行われる。このように構成したＴＦＴアレイ基板は、所定の隙間を介して対向基板と貼り合わされ、これらの基板間に液晶が封入される。かかるＴＦＴアレイ基板上の対向基板の外側領域には、複数の配線のそれぞれに画像信号を供給する駆動回路部が構成されている。
【０００３】
【特許文献１】特開平１０−２５３９９０号公報
【発明の開示】
【発明が解決しようとする課題】
【０００４】
しかしながら、上記の如く対向基板の外側領域に、駆動回路部を構成することは、これら駆動回路部以外にも、外部回路接続端子群からの配線領域の形成、マザー基板からの切断時のマージン領域の形成等が必要となる。これらの結果、画像表示領域の面積をそのままにして電気光学装置の小型化ができないという技術的問題点がある。
【０００５】
本発明は、上述した問題点に鑑みなされたものであり、画像表示領域の面積をそのまま確保しながら小型化可能である電気光学装置及びこれを備えた各種電子機器を提供することを課題とする。
【課題を解決するための手段】
【０００６】
本発明の第１電気光学装置は上記課題を解決するために、一対の第１及び第２基板間に電気光学物質が挟持されてなり、前記第１基板は、その第１辺において平面的に見て前記第２基板より張り出した張出部を有する電気光学装置であって、前記第１基板に、画像表示領域に配列されており画素電極を夫々有する複数の画素部と、前記画像表示領域の周辺に位置する周辺領域において前記第１基板の前記第１辺に隣接する少なくとも一つの第２辺に沿って配置されており走査線を介して前記画素部を駆動するための走査線駆動回路と、前記周辺領域において前記第１辺に沿って配置されておりデータ線を介して前記画素部を駆動するためのデータ線駆動回路と、前記周辺領域のうち前記張出部上にある領域において前記第１辺に沿って配列された複数の外部回路接続端子とを備え、前記走査線駆動回路と前記複数の外部回路接続端子の一部から前記走査線駆動回路へ引き回される走査線駆動回路用引回配線とは、前記張出部上を除く前記周辺領域では、前記第１基板上で平面的に見て前記第２基板が存在する領域内に配置されている。
【０００７】
本発明の第１電気光学装置によれば、その動作時には、走査線駆動回路により走査線を介して走査信号が画素部に供給され、データ線駆動回路によりデータ線を介して画像信号が画素部に供給され、例えば液晶等の電気光学物質を各画素部で駆動することで、アクティブマトリクス駆動が行なわれる。尚、このような走査線及びデータ線は、例えば、第１基板上に相互に交差するように且つ夫々複数配線される。また、このような画素部は、例えば、画素電極と、走査線にゲートが接続され且つデータ線から供給される画像信号を走査線から供給される走査信号に応じて画素電極へ選択的に供給する画素スイッチング用のＴＦＴとを有する。
【０００８】
本発明の第１電気光学装置では特に、第１基板は、その第１辺において平面的に見て第２基板より張り出した張出部を有し、周辺領域のうち、この張出部上にある領域に、第１辺に沿って複数の外部回路接続端子を備える。走査線駆動回路は、第２辺に沿って配置されており、データ線駆動回路は、第１辺に沿って配置されている。ここで、走査線駆動回路と走査線駆動回路用引回配線とは、張出部上を除く周辺領域では、第２基板が存在する領域内に配置されているので、張出部を除く周辺領域、即ち第１辺を除く各辺については、第１及び第２基板を、ほぼ又は完全に面一にすることが可能となる。言い換えれば、外部回路接続端子が配列された張出部位外については、第１及び第２基板の平面形状を、ほぼ又は完全に同一にすることが可能となる。
【０００９】
以上の結果、本発明の第１電気光学装置によれば、電気光学装置における周辺領域を画像表示領域に対して狭めることが可能となり、画像表示領域を狭めることなく当該電気光学装置を小型化することが可能となる。そして特に、このような構成とすれば、複数の第１基板となるマザー基板上に複数の電気光学装置を形成した後に切断して個々の電気光学装置にするという汎用的な製造工程において、同一面積内により多くの電気光学装置を形成することが可能となる。同一マザー基板上に当該電気光学装置を数枚や十数枚或いは数十枚配列して製造する場合、例えば第１基板のサイズをコンマ数ｍｍや数ｍｍ程度に僅かに小さくできるだけでも、同一マザー基板上に一列や複数列だけ多く、或いは一行や複数行だけ多く、当該電気光学装置を形成することも可能となり得る。よって、このように第１基板のサイズを僅かに小さくできるだけでも、実用上は、極めて有益であり、その効果は絶大であると言える。
【００１０】
尚、走査線駆動回路は、第１辺の両端において隣接する二つの第２辺に沿って、二つの又は分割された回路として設けられてもよい。この場合、二つの第２辺の夫々について又はいずれか一方のみについて、上述した走査線駆動回路についての平面レイアウトを採ることで、上述した本発明独自の効果が得られる。
【００１１】
本発明の第１電気光学装置の一態様では、前記第１及び第２基板間に、前記周辺領域の一部において前記電気光学物質を封止するシール材を更に備え、前記走査線駆動回路は、前記周辺領域のうち前記シール材が配置されたシール領域よりも前記画像表示領域に近い側の領域に配置されている。
【００１２】
この態様によれば、走査線駆動回路は、シール領域よりも画像表示領域に近い側の領域、即ちシール領域の内側に配置されているので、第２辺におけるシール領域やその外側には、例えば、引回配線等のみを配線すればよい。或いは、何らの引回配線も配線しなくてもよい。よって、シール領域から、第２辺における第１基板の縁までの距離を狭めることが可能となる。従って、第１及び第２基板を、ほぼ又は完全に面一にしつつ、画像表示領域を狭めることなく第１基板のサイズを狭めることが可能となるので、一層有利である。
【００１３】
本発明の第１電気光学装置の他の態様では、前記第１基板に、前記複数の外部回路接続端子のうち前記データ線駆動回路及び前記走査線駆動回路に接続された端子よりも前記第１辺の端寄りに設けられた対向電極用端子から引き回された対向電極用引回配線と、該対向電極用引回配線に接続されており前記周辺領域に配置された上下導通端子とを更に備え、前記第２基板に、前記画素電極に対向する対向電極を備え、前記第１及び第２基板間に、前記上下導通端子と前記対向電極とを電気的に相互接続する上下導通材を備え、前記対向電極用引回配線は、前記第１基板上で平面的に見て前記上下導通端子よりも前記画像表示領域に近い側を通過する第１配線部分を含む。
【００１４】
この態様によれば、画素電極及び対向電極間に縦電界を発生させることで、電気光学物質を画素毎に縦電界駆動することが可能となる。この態様では特に、このような対向電極との上下導通をとる上下導通端子を、第１基板の縁近くに寄せて配置しつつ、その内側に対向電極用引回配線を、他の引回配線と交差することなく引き回すことが可能となる。これにより、第１基板上における、張出部から第２基板に対向する部分にかけて、効率良く引回配線を平面レイアウトすることができる。そして特に、対向電極用引回配線を上下導通端子よりも内側を通過するので、複数の第１基板となるマザー基板上に複数の電気光学装置を形成した後に切断して個々の電気光学装置にするという汎用的な製造工程において、例えばスクライビング、ダイシング、カッティング等の切断工程を施した際に、対向電極用引回配線が断線する可能性を低減できる。よって、第１及び第２基板を、ほぼ又は完全に面一にしつつ、製造不良を低減する観点から、実用上大変有利である。
【００１５】
本発明の第２電気光学装置は上記課題を解決するために、一対の第１及び第２基板間に電気光学物質が挟持されてなり、前記第１基板は、その第１辺において平面的に見て前記第２基板より張り出した張出部を有する電気光学装置であって、前記第１基板に、画像表示領域に配列されており画素電極を夫々有する複数の画素部と、前記画像表示領域の周辺に位置する周辺領域において前記第１基板の前記第１辺に隣接する少なくとも一つの第２辺に沿って配置されており走査線を介して前記画素部を駆動するための走査線駆動回路と、前記周辺領域において前記第１辺に沿って配置されておりデータ線を介して前記画素部を駆動するためのデータ線駆動回路と、前記周辺領域のうち前記張出部上にある領域において前記第１辺に沿って配列された複数の外部回路接続端子とを備え、前記第２基板に、前記画素電極に対向する対向電極を備え、前記第１基板に、前記複数の外部回路接続端子のうち前記データ線駆動回路及び前記走査線駆動回路に接続された端子よりも前記第１辺の端寄りに設けられた対向電極用端子から引き回された対向電極用引回配線と、該対向電極用引回配線に接続されており前記周辺領域に配置された上下導通端子とを更に備え、前記第１及び第２基板間に、前記上下導通端子と前記対向電極とを電気的に相互接続する上下導通材を備え、前記対向電極用引回配線は、前記第１基板上で平面的に見て前記上下導通端子よりも前記画像表示領域に近い側を通過する第１配線部分を含む。
【００１６】
本発明の第２電気光学装置によれば、上述した第１電気光学装置の場合と概ね同様に動作し、特に、画素電極及び対向電極間に縦電界を発生させることで、電気光学物質を画素毎に縦電界駆動することが可能となる。
【００１７】
本発明の第２電気光学装置では特に、第１基板は、その第１辺において平面的に見て第２基板より張り出した張出部を有し、周辺領域のうち、この張出部上にある領域に、第１辺に沿って複数の外部回路接続端子を備える。走査線駆動回路は、第２辺に沿って配置されており、データ線駆動回路は、第１辺に沿って配置されている。ここで、このような対向電極との上下導通をとる上下導通端子を、第１基板の縁近くに寄せて配置しつつ、その内側に対向電極用引回配線を、他の引回配線と交差することなく引き回すことが可能となる。これにより、第１基板上における、張出部から第２基板に対向する部分にかけて、効率良く引回配線を平面レイアウトすることができる。そして特に、対向電極用引回配線を上下導通端子よりも内側を通過するので、マザー基板上に複数の電気光学装置を形成した後に切断して個々の電気光学装置にするという汎用的な製造工程において、例えばスクライビング、ダイシング、カッティング等の切断工程を施した際に、対向電極用引回配線が断線する可能性を低減できる。よって、第１及び第２基板を、ほぼ又は完全に面一にしつつ、製造不良を低減する観点から、実用上大変有利である。従って、張り出し部を除く周辺領域、即ち第１辺を除く各辺については、第１及び第２基板を、ほぼ又は完全に面一にすることも可能となる。
【００１８】
以上の結果、本発明の第２電気光学装置によれば、電気光学装置における周辺領域を画像表示領域に対して狭めることが可能となり、画像表示領域を狭めることなく当該電気光学装置を小型化することが可能となる。そして特に、このような構成とすれば、マザー基板上に複数の電気光学装置を形成した後に切断して個々の電気光学装置にするという汎用的な製造工程において、同一面積内により多くの電気光学装置を形成することが可能となる。
【００１９】
尚、走査線駆動回路は、第１辺の両端において隣接する二つの第２辺に沿って、二つの又は分割された回路として設けられてもよく、これに対応して、上下導通端子及び対向電極用引回配線についても、第１辺の両端に夫々、設けられてもよい。この場合、二つの第２辺の夫々について又はいずれか一方のみについて、上述した対向電極用引回配線についての平面レイアウトを採ることで、上述した本発明独自の効果が得られる。
【００２０】
本発明の第１電気光学装置における上下導通端子等を備えた態様に係る更なる態様又は第２電気光学装置の一態様では、前記第１配線部分は、前記第１基板上で平面的に見て前記走査線駆動回路よりも前記画像表示領域から遠い側を通過する。
【００２１】
この態様によれば、第１基板上の周辺領域において、対向電極用引回配線は、その第１配線部分において、上下導通端子の内側を通過し且つ走査線駆動回路よりも外側を通過するので、第１基板上における、張出部から第２基板に対向する部分にかけて、一層効率良く引回配線を平面レイアウトすることができる。これにより、画像表示領域から第２辺における第１基板の縁までの距離を一層狭めることも可能となる。
【００２２】
本発明の第１電気光学装置における上下導通端子等を備えた態様に係る更なる態様又は第２電気光学装置の他の態様では、前記上下導通端子は、前記第２基板のコーナー部に配置されており、前記第１配線部分及び前記外部回路接続端子から前記走査線駆動回路へ引き回される走査線駆動回路用引回配線は、前記第１基板上で平面的に見て、前記上下導通端子のうち前記第１辺の端に位置するコーナー部に配置されたものと前記データ線駆動回路との間を通過するように配置されている。
【００２３】
この態様によれば、例えば、第２基板の４つのコーナー部、即ち四隅に上下導通端子が配置される。或いは、例えば、第２基板の第１辺の両端に位置する２つのコーナー部、即ちニ隅に上下導通端子が配置される。ここで、対向電極用引回配線は、その第１配線部分において、コーナー部で上下導通端子の内側を通過し且つ第２辺に沿って走査線駆動回路よりも外側を通過する。従って、一層効率良く引回配線を平面レイアウトすることができる。これにより、画像表示領域から第２辺等における第１基板の縁までの距離を一層狭めることも可能となる。
【００２４】
本発明の第１電気光学装置における上下導通端子等を備えた態様に係る更なる態様又は第２電気光学装置の他の態様では、前記対向電極用引回配線は、前記周辺領域のうち、前記第１基板上で平面的に見て前記上下導通端子よりも前記画像表示領域から遠い側の領域を通過する第２配線部分を更に含み、前記第１及び第２配線部分を含んでなる冗長配線構造を有する。
【００２５】
この態様によれば、対向電極用引回配線は、第１基板上において、上下導通端子の内側を通過する第１配線部分と上下導通端子の外側を通過する第２配線部分とを含み、冗長配線として構成されている。従って、第１配線部分のみから構成する場合と比べて、対向電極用引回配線の配線抵抗を顕著に下げることが可能となり、表示画像の品位向上につながる。加えて特に、マザー基板上に複数の電気光学装置を形成した後に切断して個々の電気光学装置にするという汎用的な製造工程において、例えばスクライビング、ダイシング、カッティング等の切断工程を施した際に、仮に第２配線部分が仮に断線したとしても、第１配線部分により、対向電極用引回配線としての機能は維持される。即ち、第２配線部分のみから構成する場合と比べて、対向電極用引回配線の信頼性を顕著に高めることが可能となる。
【００２６】
この態様では、前記第１及び第２基板間に、前記周辺領域の一部において前記電気光学物質を封止するシール材を更に備え、前記走査線駆動回路は、前記周辺領域のうち前記シール材が配置されたシール領域よりも前記画像表示領域に近い側の領域に配置されており、前記第１及び第２配線部分のうち少なくとも一方は、前記シール領域内に少なくとも部分的に配線されているように構成してもよい。
【００２７】
このように構成すれば、走査線駆動回路を、第１基板上でシール領域よりも内側に配置すると共に、第１及び第２配線部分のうち少なくとも一方をシール領域内に配置するので、シール領域から第１及び第２基板の縁までの距離を短くすることが可能となる。即ち、シール領域を第２基板の縁に近接させつつ、張り出し部を除く周辺領域については、第１及び第２基板を、ほぼ又は完全に面一にする構成を、比較的容易に構築することが可能となる。しかも、走査線駆動回路の回路素子をシール領域に設けないことで、製造工程中に第１及び第２基板を張り合わせる際に、シール材に対して作用する圧縮力によって、該回路素子にダメージを与える事態を未然防止できる。従って、実用上も大変有利である。
【００２８】
或いはこの態様では、前記第１及び第２基板間に、前記周辺領域の一部において前記電気光学物質を封止するシール材を更に備え、前記走査線駆動回路は、前記周辺領域のうち前記シール材が配置されたシール領域よりも前記画像表示領域に近い側の領域に配置されており、前記対向電極用引回配線は、前記第１及び第２配線部分の間を接続する短冊状又は櫛歯状の第３配線部分を更に含み、該第３配線部分は、前記シール領域内に少なくとも部分的に配線されているように構成してもよい。
【００２９】
このように構成すれば、対向電極用引回配線における冗長配線構造を、第３配線部分の存在により実現できる。特に、第３配線部分は、短冊状又は櫛歯状であるので、第１基板の縁寄りに位置すると共に製造中や製品完成後に、相対的にダメージをより受けやすい第２配線部分に断線が生じても、冗長配線構造を維持することができ、非常に小さいダメージとして済ませることも可能となる。即ち、短冊状又は櫛歯状の第３配線部分によって、第２配線部分の欠陥によって装置全体が不良化するのを効率的に防ぐことが可能となる。加えて特に、シール材を紫外線硬化性樹脂等の光硬化性樹脂から形成する場合に、短冊状又は櫛歯状の第３配線部分の隙間或いはストライプ状の間隙を介して、光を通過させることも可能である。従って、第１基板側から、係る隙間或いは間隙を介して、紫外線等の光を照射することで、シール材を適切に硬化させることができる。更に加えて、走査線駆動回路を、第１基板上でシール領域よりも内側に配置すると共に、第３配線部分をシール領域内に配置するので、シール領域から第１及び第２基板の縁までの距離を短くすることが可能となる。よって、走査線駆動回路の回路素子をシール領域に設けないことで、製造工程中に第１及び第２基板を張り合わせる際に、シール材に対して作用する圧縮力によって、該回路素子にダメージを与える事態を未然防止できる。尚、第３配線部分は、シール材を介して仮に対向基板側の対向電極とショートしたとしても、これは、元々対向電極の電位を供給するための配線であるから、何ら問題は生じない。
【００３０】
以上の結果、基板サイズの小型化、冗長配線構造、光硬化及び製造中におけるダメージ防止という複数の観点から優れており、このような優れた点が有機的に結合されてなる本構成は、実用上極めて有利である。
【００３１】
この場合更に、前記シール材には、前記第１及び第２基板間の基板間ギャップを制御するためのギャップ材が混入されており、前記第３配線部分は、前記シール領域内に配線されたシール領域内配線に対し前記基板間ギャップを合わせるためのダミー配線として機能するように構成してもよい。
【００３２】
このように構成すれば、シール材に混入された、例えばビーズ状やファイバー状のギャップ材により、基板間ギャップを制御する際に、例えば画像信号線或いはその引き出し配線、サンプリング回路駆動信号線等のシール領域内配線が存在する、第１辺に沿ったシール領域部分における第１基板の表面高さと、第３配線部分が存在する第２辺に沿ったシール領域部分における第１基板の表面高さとを、ダミー配線として機能する第３配線部分が存在しなかった場合と比較して、近付けることが可能となる。好ましくは、このような第３配線部分のダミー配線機能によって、両方の第１基板の表面高さを一致させることも可能となる。尚、ここにいう「第１基板の表面の高さ」とは、例えば基板の裏面など、基準面を基準とする高さであり、例えば、積層構造中に配線が存在すれば、その個所では、その厚みだけ、基板の表面は高くなる、即ち凸状に盛り上る訳である。ダミー配線は、シール領域内配線の存在により、第１辺に沿ったシール領域部分における凸状に盛り上げられた表面状態と同じ又は類似の表面状態を、第２辺に沿ったシール領域部分にも作り出すことを可能としている。
【００３３】
よって、このような表面上に配置されるギャップ材によって、シール領域の第１辺及び第２辺、更に好ましくは全辺或いは全周に渡って、基板間ギャップを高精度で制御することが可能となる。
【００３４】
以上の結果、基板サイズの小型化、冗長配線構造、光硬化及び製造中におけるダメージ防止という複数の観点に加えて、基板間ギャップの制御の観点からも優れており、このような優れた点が有機的に結合されてなる本構成は、実用上極めて有利である。
【００３５】
この場合更に、前記データ線駆動回路は、前記周辺領域のうち、前記シール領域よりも前記画像表示領域から遠い側の領域に配置されており、前記第１基板に、前記周辺領域のうち前記シール領域よりも前記画像表示領域に近い側の領域に、前記複数の外部回路接続端子のうち前記対向電極用端子よりも前記第１辺の中央寄りに設けられた画像信号用端子から、画像信号用引回配線を介して供給される画像信号を、前記データ線駆動回路からサンプリング回路駆動信号線を介して供給されるサンプリング回路駆動信号に応じてサンプリングして前記データ線に供給するサンプリング回路を更に備え、前記シール領域内配線は、前記画像信号用引回配線及び前記サンプリング回路駆動信号線の前記シール領域を通過する配線部分を含むように構成してもよい。
【００３６】
このように構成すれば、その動作時には、データ線駆動回路からサンプリング回路駆動信号線を介してサンプリング回路駆動信号をサンプリング回路に供給しつつ、画像信号用引回配線を介して画像信号をサンプリング回路に供給することで、データ線に対する画像信号の提供を所定タイミングで行うことが可能となり、高周駆動によるアクティブマトリクス駆動が可能となる。ここで特に、第１辺に沿ったシール領域部分を通過する画像信号用引回配線及びサンプリング回路駆動信号線は、シール領域内配線であり、第２辺に沿ったシール領域部分を通過する第３配線部分は、これらのシール領域内配線に対するダミー配線として機能する。従って、アクティブマトリクス駆動における駆動周波数を高めつつ基板間ギャップを高精度で制御することで、より一層高品位の画像表示が可能となる
この場合更に、前記第１及び第２基板の少なくとも一方に、前記画像表示領域の額縁を規定する額縁遮光膜を更に備え、前記走査線駆動回路及び前記サンプリング回路は、前記周辺領域のうち、前記額縁遮光膜が形成された額縁領域内に少なくとも部分的に配置されているように構成されてもよい。
【００３７】
このように構成すれば、第１基板上でシール領域の内側に位置する額縁領域を利用して、走査線駆動回路及びサンプリング回路を形成する領域を確保可能となる。よって、シール領域の内側に配置された走査線駆動回路及びサンプリング回路画像表示領域の存在によって、画像表示領域が小さくなることを効果的に防止できる。尚、走査線駆動回路又はサンプリング回路は、その全体が、額縁領域内に配置されてもよいし、その画像表示領域に近い側の一部のみが、額縁領域内に配置されてもよい。後者の場合には、画像表示領域から遠い側の他の部分については、額縁領域とシール領域の間の領域や、シール領域内に配置されることになる。
【００３８】
或いは、本発明の第１電気光学装置における上下導通端子等を備えた態様に係る更なる態様又は第２電気光学装置の他の態様では、前記対向電極用引回配線は、前記外部回路接続端子から引き回される他の引回配線よりも配線幅が広く、前記上下導通端子の下を通過すると共に前記上下導通端子の下を通過する個所において前記上下導通端子に接続されている。
【００３９】
この態様によれば、対向電極用引回配線は、幅広の配線幅を持つので、その配線抵抗を配線幅に応じて下げることが可能となり、表示画像の品位向上につながる。加えて特に、対向電極用引回配線は、上下導通端子の下を通過するので、幅広の対向電極用引回配線が第１基板上で占める領域と、上下導通端子が第１基板上で占める領域とを重ねることが可能となり、これら両者が、有限の第１基板上の領域に示す面積を不必要に大きくしないことが可能となり、最終的には、第１基板のサイズの小型化に寄与する。加えて特に、上下導通端子の下を通過する個所において、対向電極用引回配線は、上下導通端子に接続されているので、両者間の電気的な接続は、コンタクトホールを開孔する等、比較的簡単に実施できるという利点も得られる。
【００４０】
尚、このような構成において、光硬化性のシール材を用いる場合には、片側からの照射によって、即ち第２基板側からの光の照射によって、これを硬化させればよい。
【００４１】
本発明の第１又は第２電気光学装置の他の態様では、前記第１基板は、平面的に見て、前記第１辺を除く辺については、前記第２基板に対して張り出していない。
【００４２】
この態様によれば、画像表示領域の大きさに対して第１基板を小さくするという、本発明の効果を極めて有効に発揮させることが可能となる。
【００４３】
或いは、本発明の第１又は第２電気光学装置に係る、対向電極用引回配線を備えた態様では、当該電気光学装置は、マザー基板上に複数形成された後に切断工程によって切断されてなり、前記対向電極用端子は、前記第１辺の最端に配置されており、前記対向電極用引回配線は、前記第２辺における前記第１基板の縁から前記切断工程における切断マージンだけ離間して、前記第２辺に沿って配線されている部分を含む。
【００４４】
この態様によれば、対向電極用端子は、前記第１辺の最端に配置されているので、他の引回配線と交差しない平面レイアウトを採ることが容易となる。加えて特に、前記対向電極用引回配線のうち第１基板の縁に沿って配置される部分は、この縁から切断工程における切断マージンだけ離間している。よって、例えばスクライビング、ダイシング、カッティング等の切断工程を施した際に、前記対向電極用引回配線が断線する可能性を低減できる。
【００４５】
本発明の電子機器は、上述した本発明の電気光学装置を具備してなるので、高品位の画像を表示可能な、テレビ、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置など、各種電子機器を実現できる。また、本発明の電子機器として、例えば、電子ペーパなどの電気泳動装置、電子放出装置（Field Emission Display及びConduction Electron-Emitter Display）等を実現することも可能である。
【００４６】
本発明のこのような作用及び他の利得は次に説明する実施の形態から明らかにされる。
【発明を実施するための最良の形態】
【００４７】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
＜第１実施形態＞
第１実施形態に係る電気光学装置について、図１から図６を参照して説明する。
【００４８】
先ず、図１及び図２を参照して、本実施形態に係る電気光学装置の全体構成について、説明する。ここに図１は、本実施形態に係る電気光学装置の構成を示す平面図であり、図２は、図１のＨ−Ｈ´線での断面図である。
【００４９】
図１及び図２において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００５０】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路３０１が額縁遮光膜５３に覆われるようにして設けられている。また、走査線駆動回路１０４は、この一辺に隣接する２辺に沿ったシール領域の内側に、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、前記額縁遮光膜５３に覆われるようにして複数の配線１０５が設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００５１】
図２において、ＴＦＴアレイ基板１０上には、駆動素子である画素スイッチング用のＴＦＴ（Ｔｈｉｎ Ｆｉｌｍ Ｔｒａｎｓｉｓｔｏｒ）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。
【００５２】
次に図３から図５を参照して、走査線駆動回路１０４と、外部回路接続端子１０２から上下導通端子１０６へと引き回される引回配線との平面レイアウトの詳細について説明する。ここに図３は、本実施形態に係る電気光学装置のうち図１の円領域Ｌ１２を拡大して示した部分平面図である。図４は、データ線駆動回路及びサンプリング回路に係る回路構成の概略を引回配線と共に示す回路図である。図５は、上下導通端子から共通電位（ＬＣＣＯＭ）が供給される対向電極と画素回路とに係る回路構成の概略を示す回路図である。
【００５３】
図３に示すように、本実施形態では特に、ＴＦＴアレイ基板１０は、その第１辺(図３中、下辺)において、平面的に見て対向基板２０より張り出した張出部１０ｅを有し、張出部１０ｅ上にある領域に、第１辺に沿って複数の外部回路接続端子１０２を備える。複数の外部回路接続端子１０２は、画像信号を供給するための画像信号用端子１０２ａ、走査線駆動回路１０４に、クロック信号、反転クロック信号、スタートパルス信号、走査方向制御信号、電源信号、その他の特殊制御信号等の各種信号を供給するための走査線駆動回路用端子１０２ｂ、及び上下導通端子１０６に共通電位ＬＣＣＯＭを供給するための対向電極電位用端子１０２ｃとを含む。尚、複数の外部回路接続端子１０２は、その他にも、データ線駆動回路１０１に、クロック信号、反転クロック信号、スタートパルス信号、走査方向制御信号、電源信号、その他の特殊制御信号等の各種信号を供給するための、不図示のデータ線駆動回路用端子、検査用の端子等も含む。
【００５４】
走査線駆動回路１０４は、第２辺（図３中、左辺）に沿って配置されており、走査線駆動回路用端子１０２ｂからは、走査線駆動回路用引回配線１１８が走査線駆動回路１０４まで引き回されている。
【００５５】
対向電極用端子１０２ｃからは、対向電極用引回配線７１が上下導通端子１０６まで引き回されており、更に、第２辺にそって他の上下導通端子１０６まで引き回されている。
【００５６】
データ線駆動回路１０１は、第１辺に沿って配置されており、不図示のデータ線駆動回路用端子からデータ線駆動回路用引回配線がデータ線駆動回路１０１まで引き回されている。
【００５７】
画像信号用端子１０２ａからは、画像信号線１１５が、データ線駆動回路１０１の周囲に沿って引き回されている。画像信号線１１５からは、分岐配線１１６がサンプリング回路３０１へと配線されている。他方、データ線駆動回路１０１からは、サンプリング回路駆動信号線１１７が、サンプリング回路３０１へと配線されている。
【００５８】
これらデータ線駆動回路１０１及びサンプリング回路３０１に係る回路構成や、引回配線等による電気的な接続関係は、図４に示した通りである。
【００５９】
即ち図４に示すように、画像信号線１１５からの分岐配線１１６は、サンプリング回路３０１を構成するＴＦＴ等からなるサンプリングスイッチ３０２のソースに接続されており、データ線駆動回路１０１からのサンプリング回路駆動信号線１１７は、サンプリングスイッチ３０２のゲートに接続されている。よって、電気光学装置の動作時には、外部回路から画像信号用端子１０２ａに印加される画像信号は、画像信号線１１５からの分岐配線１１６を経てサンプリング回路３０１へ供給され、ここで、データ線駆動回路１０１からサンプリング回路駆動信号線１１７を経て供給される、シフトレジスタ出力に基づくサンプリング回路駆動信号に応じたタイミングで、サンプリングされる。そして、サンプリングされた画像信号は、各データ線６ａに供給されることになる。
【００６０】
画像信号線１１５からの分岐配線１１６を経てサンプリング回路３０１へ供給される画像信号は、線順次に供給されても構わないが、本実施形態においては、画像信号は、６相にシリアル−パラレル展開された画像信号の夫々に対応して、６本のデータ線６ａの組に対してグループ毎に供給されるよう構成されている。尚、画像信号の相展開数に関しては、６相に限られるものでなく、例えば、９相、１２相、２４相など、複数相に展開された画像信号が、その展開数に対応した数を一組としたデータ線６ａの組に対して供給されるよう構成してもよい。
【００６１】
また、このような動作時には、外部回路から対向電極用端子１０２ｃに印加される共通電位ＬＣＣＯＭは、対向電極用引回配線７１及び上下導通端子１０６を介して、対向電極２１へと供給されることになる。
【００６２】
図５に示すように、上述のように共通電位ＬＣＣＯＭが供給される対向電極２１は、液晶層５０を挟んで画素電極９ａと対向配置されており、液晶容量５０ａを構築している。ここで、各画素部には、上述のように画像信号が供給されるデータ線６ａが、そのソースに接続された画素スイッチング用ＴＦＴ３０を有する。このＴＦＴ３０のゲートには、走査線駆動回路１０４（図１から図３参照）から走査信号が供給される走査線３ａが接続されている。従って、走査線３ａを介して走査信号が供給されるタイミングで、ＴＦＴ３０が導通状態とされることで、データ線６ａ及びＴＦＴ３０のソースドレイン間を介して画素電極９ａに画像信号が書き込まれることになる。尚、液晶容量５０ａにおける電位の保持特性を高めるために、液晶容量５０ａと並列に蓄積容量７０が構築されている。
このような蓄積容量７０は、所定電位を供給する容量線３００の一部又はこれに接続された固定電位側容量電極と、画素電極９ａに接続された画素電位側容量電極とが誘電体膜を介して対向配置されることで、構築される。
【００６３】
このように構成されているため、本実施形態に係る電気光学装置は、その動作時には、走査線駆動回路１０４により走査線３ａを介して走査信号が画素部に供給され、データ線駆動回路１０１によりデータ線６ａを介して画像信号が画素部に供給され、各画素部におけるアクティブマトリクス駆動が行なわれるのである。
【００６４】
再び図３において、走査線駆動回路１０４と対向電極用引回配線７１とは、張出部１０ｅ上を除く周辺領域では、対向基板２０が存在する領域内に配置されている。このため、張出部１０ｅを除く周辺領域、即ち第２辺については、ＴＦＴアレイ基板１０及び対向基板２０を、ほぼ面一にすることが可能となる。
【００６５】
更に、本実施例では特に、走査線駆動回路１０４は、シール材５２が配置されたシール領域よりも画像表示領域に近い側の領域に配置されているので、シール領域から、第２辺におけるＴＦＴアレイ基板１０の縁までの距離を狭めることが可能となる。
【００６６】
しかも、本実施形態では、対向電極用引回配線７１は、上下導通端子１０６よりも画像表示領域に近い側を通過するので、上下導通端子１０６を、ＴＦＴアレイ基板１０の縁近くに寄せて配置しつつ、その内側に対向電極用引回配線７１を、他の引回配線と交差することなく引き回すことが可能とされている。加えて、本実施形態では、対向電極用引回配線７１は、走査線駆動回路１０４よりも画像表示領域から遠い側を通過する。より具体的には、対向電極用引回配線７１は、対向基板２０のコーナー部で上下導通端子１０６の内側を通過し且つ第２辺に沿って走査線駆動回路１０４よりも外側を通過する。
【００６７】
これらにより、図３から分かるように、ＴＦＴアレイ基板１０上における、張出部１０ｅから対向基板２０に対向する部分にかけて、対向電極用引回配線７１を含む引回配線を、極めて効率良く平面レイアウトすることが可能とされている。
【００６８】
ここで図６に示した本実施形態に係る比較例と比較することで、上述の如く構成された本実施形態の作用効果について検討する。ここに図６は、本実施形態の比較例における図３と同趣旨の部分平面図である。
【００６９】
図６に示す比較例では、走査線駆動回路１０４と走査線駆動回路用引回配線７１ｃとは、張出部１０ｅ上を除く周辺領域において、対向基板２０が存在しない領域内に配置されている。その他の構成については、図３に示した実施形態と概ね同様である。このため、比較例においては、張出部１０ｅを除く周辺領域、即ち第２辺についても、ＴＦＴアレイ基板１０及び対向基板２０を、面一にすることができていない。
【００７０】
図３に示した本実施形態の電気光学装置では、図６の比較例に比べて、ＴＦＴアレイ基板１０の幅をΔＷだけ狭めることができ、これにより、第２辺については、ＴＦＴアレイ基板１０及び対向基板２０を、ほぼ面一にすることが可能となるのである。
【００７１】
以上詳細に説明したように、本実施形態によれば、電気光学装置における周辺領域を画像表示領域に対して狭めることが可能となり、画像表示領域を狭めることなく当該電気光学装置を小型化することが可能となる。そして特に、このような構成とすれば、複数の第１基板となるマザー基板上に複数の電気光学装置を形成した後に切断して個々の電気光学装置にするという汎用的な製造工程において、同一面積内により多くの電気光学装置を形成することが可能となる。
【００７２】
加えて、対向電極用引回配線７１を上下導通端子１０６よりも内側を通過するので、複数のＴＦＴアレイ基板１０となるマザー基板上に、複数の電気光学装置を形成した後に切断して個々の電気光学装置にするという汎用的な製造工程において、例えばスクライビング、ダイシング、カッティング等の切断工程を施した際に、対向電極用引回配線７１が断線する可能性を低減できる。このようにマザー基板上に複数形成後に切断工程によって切断して当該電気光学装置を製造する場合には、対向電極用端子１０２ｃを図３に示したように、第１辺の最端に配置すると共に、対向電極用引回配線７１を第２辺におけるＴＦＴアレイ基板１０の縁から切断工程における切断マージンだけ離間して、前記第２辺に沿って配線するとよい。これにより、切断工程を施した際に、対向電極用引回配線７１が断線する可能性を低減できる。
＜第２実施形態＞
第２実施形態に係る電気光学装置について、図７を参照して説明する。ここに図６は、第２実施形態における図３と同趣旨の部分平面図である。尚、図６において、図１から図６に示した第１実施形態に係る構成要素と同様の構成要素に同一の参照符合を付し、それらの説明は適宜省略する。
【００７３】
図７に示すように第２実施形態は、対向電極用引回配線７２が、上下導通端子１０６の外側を通過している。その他の構成については、上述した第１実施形態の場合と同様である。
【００７４】
このように構成された第２実施形態によれば、複数のＴＦＴアレイ基板１０となるマザー基板上に、複数の電気光学装置を形成した後に切断して個々の電気光学装置にするという汎用的な製造工程において、例えばスクライビング、ダイシング、カッティング等の切断工程を施した際に、対向電極用引回配線７２が断線する可能性が高くなり得るが、それ以外については、第１実施形態の場合と同様又は類似の効果が相応に得られる。尚、第２実施形態において対向電極用引回配線７２が断線する可能性が低めるためには、第１実施形態の場合と比較して、ＴＴＦＴアレイ基板１０の幅を、多少幅広にとるとよい。
＜第３実施形態＞
第３実施形態に係る電気光学装置について、図８を参照して説明する。ここに図８は、第３実施形態における図３と同趣旨の部分平面図である。尚、図８において、図１から図６に示した第１実施形態に係る構成要素と同様の構成要素に同一の参照符合を付し、それらの説明は適宜省略する。
【００７５】
図８に示すように第３実施形態は、対向電極用引回配線７３が、上下導通端子１０６の内側を通過する第１配線部分７３ａ、上下導通端子１０６の外側を通過する第２配線部分７３ｂ、シール領域内で第１配線部分７３ａ及び第２配線部分７３ｂ間に短冊状或いは櫛馬状に形成された第３配線部分７３ｃ、並びに、対向電極用端子１０２ｃから第１配線部分７３ａ及び第２配線部分７３ｂに引き回された幅広の第４配線部分７３ｄを含む。その他の構成については、上述した第１実施形態の場合と同様である。
【００７６】
このように構成された第３実施形態によれば、対向電極用引回配線７３は、第１配線部分７３ａ及び第２配線部分７３ｂが並列の配線であることから、低抵抗化が図られている。しかも両者は第３配線部分７３ｃにより接続されているので、冗長構造を有する。特に、マザー基板上に複数の電気光学装置を形成した後に切断して個々の電気光学装置にするという汎用的な製造工程において、第２配線部分７３ｂが一箇所又は複数箇所において仮に断線したとしても、第１配線部分７３ａにより、対向電極用引回配線７３としての機能は維持される。
【００７７】
更に、第１配線部分７３ａをシール領域内に配置するので、シール領域からＴＦＴアレイ基板１０の縁までの距離を短くすることが可能となる。しかも、走査線駆動回路１０４をシール領域に設けないことで、製造工程中に第１及び第２基板を張り合わせる際に、シール材５２に対して作用する圧縮力によって、該回路素子にダメージを与えることもない。
【００７８】
しかも、第３配線部分７３ｃは、短冊状又は櫛歯状であるので、シール材５２を紫外線硬化性樹脂から形成する場合に、短冊状又は櫛歯状の第３配線部分の隙間７３Ｓを介して、光を通過させることで、紫外線硬化を実施できる。これに対して、第４配線部分７３ｄについては、シール領域になく、その光硬化とは無関係であるので、幅広に形成することで、対向電極用引回配線７３の低抵抗化を図るようにしている。
【００７９】
尚、シール領域に配線された第１配線部分７３ａや第３配線部分７３ｃが、シール材５２を介して対向電極２１とショートしても、これは同電位であるので支障はない。
【００８０】
本実施形態では特に、シール材５２に混入されたギャップ材により、基板間ギャップを制御する際に、図４の如くに電気的に接続された、本発明に係る「シール領域内配線」の一例としてのサンプリング回路駆動信号線１１７及び分岐配線１１６が配線された、第１辺に沿ったシール領域部分におけるＴＦＴアレイ基板１０の表面高さと、第３配線部分７３ｃが存在する第２辺に沿ったシール領域部分におけるＴＦＴアレイ基板１０の表面高さとを、近付けることが可能となる。好ましくは、第３配線部分７３ｃが配線された個所におけるＴＦＴアレイ基板１０上における積層構造を、サンプリング回路駆動信号線１１７及び分岐配線１１６が配線された個所における積層構造と同一にすることで、両表面高さを殆ど同一にすることも可能である。これにより、シール材５２に混入されたギャップ材によって、シール領域全周に渡って、基板間ギャップを高精度で制御することが可能となる。
＜第４実施形態＞
第４実施形態に係る電気光学装置について、図９を参照して説明する。ここに図９は、第４実施形態における図３と同趣旨の部分平面図である。尚、図９において、図１から図６に示した第１実施形態に係る構成要素と同様の構成要素に同一の参照符合を付し、それらの説明は適宜省略する。
【００８１】
図９に示すように第４実施形態は、対向電極用引回配線７４が、幅広に形成されており、上下導通端子１０６の下側を通過する。その他の構成については、上述した第１実施形態の場合と同様である。
【００８２】
このように構成された第４実施形態によれば、対向電極用引回配線７４を幅広に形成することで、その低抵抗化を図っている。また、対向電極用引回配線７４は、上下導通端子１０６の下を通過するので、幅広の対向電極用引回配線７４が第１基板上で占める領域と、上下導通端子１０６がＴＦＴアレイ基板１０上で占める領域とを重ねることが可能となり、限られた基板上領域を節約できる。加えて、上下導通端子１０６の下を通過する個所において、対向電極用引回配線７４は、上下導通端子にコンタクトホールにより容易に接続可能である。
【００８３】
尚、このような構成において、光硬化性のシール材５２を用いる場合には、対向基板２０側からの光照射によって、これを硬化させればよい。
＜電子機器＞
次に、上述した電気光学装置である液晶装置を各種の電子機器に適用する場合について説明する。
【００８４】
まず、この液晶装置をライトバルブとして用いたプロジェクタについて説明する。図１０は、プロジェクタの構成例を示す平面図である。この図１０に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００８５】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００８６】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００８７】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００８８】
次に、液晶装置を、モバイル型のパーソナルコンピュータに適用した例について説明する。図１１は、このパーソナルコンピュータの構成を示す斜視図である。図１１において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００８９】
さらに、液晶装置を、携帯電話に適用した例について説明する。図１２は、この携帯電話の構成を示す斜視図である。図１２において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００９０】
尚、図１０から図１２を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００９１】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００９２】
【図１】本発明の第１実施形態に係る、電気光学装置の全体構成を示す平面図である。
【図２】図１のＨ−Ｈ’の断面図である。
【図３】図１のＬ１２で示す領域を拡大して示す説明図である。
【図４】第１実施形態に係る、データ線駆動回路及びサンプリング回路に係る回路構成の概略を引回配線と共に示す回路図である。
【図５】第１実施形態に係る、上下導通端子から共通電位が供給される対向電極と画素回路とに係る回路構成の概略を示す回路図である。
【図６】本実施形態の比較例における図３と同趣旨の部分平面図である。
【図７】本実施形態の第２実施形態における図３と同趣旨の部分平面図である。
【図８】本実施形態の第３実施形態における図３と同趣旨の部分平面図である。
【図９】本実施形態の第４実施形態における図３と同趣旨の部分平面図である。
【図１０】電気光学装置を適用した電子機器の一例たるプロジェクタの構成を示す平面図である。
【図１１】電気光学装置を適用した電子機器の一例たるパーソナルコンピュータの構成を示す斜視図である。
【図１２】電気光学装置を適用した電子機器の一例たる携帯電話の構成を示す斜視図である。
【符号の説明】
【００９３】
９ａ…画素電極、１０…ＴＦＴアレイ基板、１０ａ…画像表示領域、１０ｅ…張出部、２０…対向基板、２１…対向電極、２３…遮光膜、５０…液晶層、５２…シール材、５３…額縁遮光膜、７１〜７４…対向電極用引回配線、１０１…データ線駆動回路、１０２…外部回路接続端子、１０４…走査線駆動回路、１０５…複数の配線、１０６…上下導通端子
【図１】
2006171385.tif 000003
【図２】
2006171385.tif 000004
【図３】
2006171385.tif 000005
【図４】
2006171385.tif 000006
【図５】
2006171385.tif 000007
【図６】
2006171385.tif 000008
【図７】
2006171385.tif 000009
【図８】
2006171385.tif 000010
【図９】
2006171385.tif 000011
【図１０】
2006171385.tif 000012
【図１１】
2006171385.tif 000013
【図１２】
2006171385.tif 000014